(57)【特許請求の範囲】
【請求項１】
複数の放送地区に対して共通の放送内容である一斉放送情報と、それぞれの放送地区に対して地区別の放送内容である複数の地区別放送情報とをテープデッキに記録し、複数の放送地区に対する有線放送の放送形態に合わせて放送ソースとなる番組記録媒体を編集作成して、前記放送ソースに基づいて前記複数の放送地区に対して前記一斉放送情報と前記地区別放送情報とを用いて放送制御する有線放送システムであって、
前記一斉放送情報もしくは前記地区別放送情報の情報終了部に番組の終了を表すＱ１信号を記録するＱ１信号記録手段と、放送番組の放送シーケンスである放送制御データとして対象となる複数の放送地区のそれぞれの放送ソースを示す制御内容を記憶する記憶手段と、放送を開始すると前記一斉放送情報もしくは前記地区別放送情報に前記Ｑ１信号が設定されているか否かを監視する監視手段とを具備し、前記監視手段で前記Ｑ１信号を検出すると、
前記記憶手段を参照し全ての放送地区に対する前記放送制御データを抽出するとともに、前記制御内容を解析し、
一斉放送中に前記Ｑ１信号を受信した場合において、各放送地区の放送ソースを検出し、放送番組の継続があると判断し、それぞれの放送地区の次の放送ソースが一致しないと認識したときには、地区別放送情報へ放送内容の切替を行い、地区別放送中に前記Ｑ１信号を受信した場合において、該Ｑ１信号を受信した放送地区の放送ソースを検出し放送番組の継続があり、且つそれぞれの放送地区の次の放送ソースが一致すると認識したときには、現在放送中の前記放送制御データの他の放送地区の放送ソースの確認を行い放送中番組がある場合には、自らの放送地区に対してＢＧＭを送出して待機状態とし、放送中番組がない場合には、全ての放送地区に対して、一斉放送情報へ放送内容の切替制御を行い、前記Ｑ１信号を受信した場合において、各放送地区の放送ソースを検出し放送番組の継続が無いと判断したときにはテープデッキの停止を行う制御手段と、を備えてなる有線放送システム。
【発明の詳細な説明】
【０００１】
【産業上の利用分野】
本発明は、録音テープ等の記録媒体に記録された番組の放送を行う有線放送システムに関する。
【０００２】
【従来の技術】
有線放送システムに於ける番組を送出する録音テープの内容は、一般的に有線放送がモノラル放送であることから、ステレオ方式テープのライト側に放送内容を録音し、レフト側にＱ信号を録音して多様な放送形態に対応している。
【０００３】
図５は、有線放送システムにおける番組の放送パターン例を示す。
【０００４】
図５において、Ａ，Ｂ，Ｃ地区を放送対象とする場合、Ａ地区の住宅にはＡ，Ｂ，Ｃ全地区共通の一斉放送１−１を放送後、Ａ地区のみの地区別放送Ａ１−３を行い、再び先とは別の一斉放送１−２を放送することを示している。また、Ｂ地区の住宅には一斉放送１−１後、Ｂ地区のみの地区別放送Ｂ１−４を行い、再び一斉放送１−２を行うことを示している。Ｃ地区も同様に一斉放送１−１後、Ｃ地区のみの地区別放送Ｃ１−５を行い、再び一斉放送１−２を行うことを示している。この時、一斉放送の番組である一斉放送１−１と一斉放送１−２は、同一のテープに収録し、地区別放送は地区毎のテープに収録する。
【０００５】
しかしながら、地区別放送は、地区毎に放送内容が異なることから放送時間にも長短ができるため、最も放送時間の長いＡ地区の地区別放送が終了するまで、Ｂ地区およびＣ地区には軽音楽などのＢＧＭを放送して無音の放送時間を避け、一斉放送１−２をＡ，Ｂ，Ｃ全地区同時に開始する。
【０００６】
このような放送パターンを実施する場合の従来のテープ構成を図６に示す。
【０００７】
図６において、放送番組を収録するテープは、ステレオ方式テープＴＰＭのライト（Ｒ）側に放送内容を録音し、レフト（Ｌ）側に番組を制御するＱ信号を録音して多様な放送形態に対応している。また、従来のＱ信号の内容は、Ｑ１（テープデッキの停止）、Ｑ２（テープ一斉放送からテープ地区別放送への移行）、Ｑ３（番組の終了）、Ｑ４（テープ地区別放送からテープ一斉放送への移行）の４種類である。
【０００８】
即ち、番組テープＴＰＭ２−１は、一斉放送１を放送後、Ｑ２信号２−１０により地区別放送に放送を切り替える。Ｑ２信号は一斉放送から地区別放送への移行でありテープの終了によるテープデッキの停止指示ではないが、番組の移行であるため番組テープＴＰＭ２−１はポーズ状態となる。
【０００９】
番組の移行により、Ａ地区の地区別放送番組テープであるＴＰＡ２−２、Ｂ地区の地区別放送テープであるＴＰＢ２−３、Ｃ地区の地区別放送テープであるＴＰＣ２−４を起動し各地区の地区別放送を行う。
【００１０】
地区別放送は、地区毎に放送内容が異なることから放送時間にも長短ができるため、ＴＰＣ２−４でＣ地区の地区別放送Ｃが終了すると、Ｑ４信号２−１３を検出し地区別放送から一斉放送への移行を行おうとするが、同時に一斉放送を行うべきＡ地区、Ｂ地区が地区別放送中であるため、ＢＧＭテープ２−５による放送に移行する。
【００１１】
Ｂ地区用のテープでＱ４信号２−１２を検出した場合も同様にＡ地区が地区別放送中であるため、ＢＧＭテープ２−５による放送に移行する。
【００１２】
Ａ地区用のテープでＱ４信号２−１１を検出した場合は、同時に一斉放送を行うべきＢ地区、Ｃ地区が地区別放送を終了しＢＧＭ送出中であるため、放送の待ち合わせをする必要がないことから、ＴＰＭ２−１を再起動して一斉放送２の内容をＡ，Ｂ，Ｃ地区に同時に放送する。
【００１３】
ＴＰＭ２−１でＱ３信号２−２０を検出すると、一連の番組の終了となり、すべての住宅のスピーカをオフとするが、ＴＰＭ２−１はそのまま走行を継続しＱ１信号２−３０を検出したとき走行を停止する。
【００１４】
【発明が解決しようとする課題】
しかしながら、上述のような従来の放送制御方式では、４種類のＱ信号が必要であるため、放送形態が多様化するに伴い、４種類のＱ信号に対応するキーを必要に応じて選択、操作して番組テープを作成するには、番組作成者の熟練が必要であるばかりでなく、Ｑ信号の誤りの修正にも多大の労力を要し、番組テープの作成が面倒になるという問題があった。
【００１５】
本発明は、上述のような問題を解決するものであり、有線放送システムの番組テープの作成を容易にした有線放送システムを提供することを目的としている。
【００１６】
【課題を解決するための手段】
上記目的を達成するために本発明は、複数の放送地区に対して共通の放送内容である一斉放送情報と、それぞれの放送地区に対して地区別の放送内容である複数の地区別放送情報とをテープデッキに記録し、複数の放送地区に対する有線放送の放送形態に合わせて放送ソースとなる番組記録媒体を編集作成して、前記放送ソースに基づいて前記複数の放送地区に対して前記一斉放送情報と前記地区別放送情報とを用いて放送制御する有線放送システムであって、前記一斉放送情報もしくは前記地区別放送情報の情報終了部に番組の終了を表すＱ１信号を記録するＱ１信号記録手段と、放送番組の放送シーケンスである放送制御データとして対象となる複数の放送地区のそれぞれの放送ソースを示す制御内容を記憶する記憶手段と、放送を開始すると前記一斉放送情報もしくは前記地区別放送情報に前記Ｑ１信号が設定されているか否かを監視する監視手段とを具備し、前記監視手段で前記Ｑ１信号を検出すると、前記記憶手段を参照し全ての放送地区に対する前記放送制御データを抽出するとともに、前記制御内容を解析し、一斉放送中に前記Ｑ１信号を受信した場合において、各放送地区の放送ソースを検出し、放送番組の継続があると判断し、それぞれの放送地区の次の放送ソースが一致しないと認識したときには、地区別放送情報へ放送内容の切替を行い、地区別放送中に前記Ｑ１信号を受信した場合において、該Ｑ１信号を受信した放送地区の放送ソースを検出し放送番組の継続があり、且つそれぞれの放送地区の次の放送ソースが一致すると認識したときには、現在放送中の前記放送制御データの他の放送地区の放送ソースの確認を行い放送中番組がある場合には、自らの放送地区に対してＢＧＭを送出して待機状態とし、放送中番組がない場合には、全ての放送地区に対して、一斉放送情報へ放送内容の切替制御を行い、前記Ｑ１信号を受信した場合において、各放送地区の放送ソースを検出し放送番組の継続が無いと判断したときにはテープデッキの停止を行う制御手段と、を備えた。
【００１７】
【作用】
本発明は上記構成により、番組記録媒体の放送シーケンスが１つのＱ信号で制御可能となり、番組記録媒体の作成が容易になる。
【００１８】
【実施例】
以下、本発明の実施例を図面に基づいて説明する。
【００１９】
図１は、本発明の放送制御方式を適用した有線放送システムの構成を示すブロック図である。
【００２０】
図１において、３−１は有線放送システム全体を制御し管理する主制御装置ＭＡＩＮ（以下、単に制御装置という）であり、この制御装置３−１は、図には示さないがＣＰＵおよびメモリを内蔵し、メモリに格納されたソフトウエアによって有線放送システムを制御する。
【００２１】
制御装置３−１に接続したキーパネル（ＫＰ）３−２は、テープデッキの操作やテープ編集の際に使用する各種のキーを備えている。
【００２２】
制御装置３−１に接続したパソコン（ＰＣ）３−３は、番組データを登録するもので、放送の開始時間や放送地区、放送ソースとなる番組テープがセットされているテープデッキの指定等を行う。また、制御装置３−１に接続した時計回路（ＣＬＫ）３−４は、現在の時刻を制御装置３−１に通知して放送開始時間の到来を認識させる。
【００２３】
制御装置３−１に接続したデッキ制御装置（ＤＣＴＬ）３−５は、放送開始の際のテープデッキ起動やＱ信号を検出してテープデッキを停止するためのデッキ遠隔制御を行うものである。
【００２４】
図１中、３−６、３−７は番組放送用の放送デッキ（ＤＫ０，ＤＫ１）であり、ダンパ−ＤＡＭＰ０を介して音声ミキサー（ＭＩＸ）３−９に接続されている。３−８は番組テープを作成するための編集デッキ（ＥＤＫ）であり、音声ミキサー３−９から入力される各種の音声ソースをテープに録音して番組テープを作成する。また、編集デッキ３−８にはダンパーＤＡＭＰ１を介して放送デッキ３−６、３−７が接続されている。
【００２５】
制御装置３−１に接続したＱ信号制御装置（ＱＣＴＬ）３−１０は、Ｑ信号を編集デッキ３−８に送出するとともに、放送デッキ３−６、３−７で再生中の番組テープからＱ信号を検出して制御装置３−１に通知する。
【００２６】
各放送デッキ３−６、３−７には、制御装置３−１により制御される放送セレクタ（ＢＣＳＥＬ）３−１１が接続され、この放送セレクタ３−１１にはネットワーク（ＮＷ）３−１２を介してスピーカ（ＳＰＫ）３−１３が接続されている。従って、各放送デッキ３−６、３−７から出力される放送音声は放送セレクタ３−１１により切り替えられ、ネットワーク３−１２により各住宅に設置されるスピーカ３−１３に送出される。
【００２７】
次に、本発明の放送制御方式に用いられる番組テープの構成を図２に基づいて説明する。
【００２８】
図２において、番組テープＴＭ４−１のＲ側には、Ａ，Ｂ，Ｃ地区共通の一斉放送が記録されている。また、放送テープＴＰＡ４−２にはＡ地区の地区別放送Ａが記録され、放送テープＴＰＢ４−３にはＢ地区の地区別放送Ｂが記録され、放送テープＴＰＣ４−４にはＣ地区の地区別放送Ｃが記録されている。そして、番組テープＴＭ４−１のＬ側には、各番組の終了マークであるＱ１信号のみがＴＰＡ４−２〜ＴＰＡ４−４に対応して記録されている。これにより、図５に示す場合と同様の放送を可能にする。
【００２９】
番組の放送シーケンスはパソコン３−３により設定された図３に示す放送制御データにしたがって、制御装置３−１のメモリに格納されたソフトウエアにより制御される。
【００３０】
次に、本実施例の制御動作について、図３に示す放送制御データ、および図４に示すフローチャートを参照して説明する。
【００３１】
制御装置３−１のメモリに格納されたソフトウエアは、ステップＳ−１で時計回路３−４の現在時刻とメモリエリアＭ１−１に格納されている放送開始時間とを比較し、開始時間であると判定すると、メモリエリアＭ２−２、Ｍ２−４、Ｍ２−６のデータに基づき放送すべき地区を決定し、ステップＳ−２において、放送セレクタ３−１１と、ネットワーク３−１２により放送路を閉成し、各住宅に設置させるスピーカ３−１３を起動する。
【００３２】
次に、放送デッキ３−６、３−７を起動するためにメモリエリアＭ２−３、Ｍ２−５、Ｍ２−７を参照して放送ソースであるＴＭ４−１のデッキを決定し、ステップＳ−３でそのデッキを起動する。この時、放送ソースが全て同じ番組テープＴＭ４−１であるため一斉放送となる。
【００３３】
放送中は、ステップＳ−４において、放送終了信号であるＱ１信号を監視する。番組テープＴＭ４−１からＱ１信号がＱ信号制御装置３−１０により検出されると、現在放送中の放送制御データであるメモリエリアＭ１−１のデータにより放送の接続をステップＳ−５でチェックする。ここで、継続がある場合は、ステップＳ−６において、現在放送中の放送地区と次の放送地区をメモリエリアＭ３−２、Ｍ３−４、Ｍ３−６からＡ地区、Ｂ地区、Ｃ地区ともに次の放送があることを認識する。
【００３４】
放送ソースは次の放送ソースを示すメモリエリアＭ３−３、Ｍ３−５、Ｍ３−７からＡ地区、Ｂ地区、Ｃ地区ともに別々の放送ソースであることを認識し、これにより地区別放送となり、ステップＳ−７で各々の放送ソースであるＴＰＡ４−２、ＴＰＢ４−３、ＴＰＣ４−４のデッキを起動する。その後、ステップＳ−４に戻り、Ｑ１信号を監視する。
【００３５】
地区別放送は、地区毎に放送内容が異なることから放送時間にも長短ができるため、Ｃ地区のＴＰＣ４−４からＱ１信号を検出すると、現在放送中の放送制御データであるメモリエリアＭ３−１のデータにより、放送の継続をステップＳ−５で再びチェックする。このとき、本実施例では継続があるため、ステップＳ−６で地区別放送であることから、Ｃ地区の現在放送中の次の放送ソースを示すメモリエリアＭ４−７から抽出し、その他のＡ地区、Ｂ地区の放送ソースをチェックする。このとき、Ａ地区、Ｂ地区とも同じ放送ソースであるため、ステップＳ８において、Ａ地区、Ｂ地区の放送状態を調べ、共に放送中であることからステップＳ−９でＣ地区に対してＢＧＭを送出する。
【００３６】
次に、ステップＳ−４に戻り、Ｂ地区のＴＰＣ４−３からＱ１信号を検出すると、Ｃ地区と同様にＢＧＭを送出する。また、Ａ地区のＴＰＡ４−２からＱ１信号をステップＳ−４で検出すると、同様にステップＳ−５で継続をチェックし、ステップＳ−６においてＢ地区、Ｃ地区の放送ソースをチェックする。この場合、Ａ地区、Ｂ地区ともに同じ放送ソースであるため、ステップＳ−１０においてＡ地区、Ｂ地区、Ｃ地区とも同じ放送ソースである放送制御データであるメモリエリアＭ４−２に示す放送ソースＴＭ４−１に接続する。その後、ステップＳ−４に戻り、Ｑ１信号を監視する。
【００３７】
ＴＭ４−１からＱ１信号が検出されると、現在放送中の放送制御データであるメモリエリアＭ４−１のデータにより、放送の継続をステップＳ−５で再チェックする。このとき、放送制御データのメモリエリアＭ４−１のデータは放送の終了を示しているため、ステップＳ−１１において、Ａ地区、Ｂ地区、Ｃ地区の放送が終了し、全ての機器を解放する。
【００３８】
このように本実施例においては、従来、４種類のＱ信号で制御していた放送シーケンスを１つのＱ信号で制御することが可能になり、番組テープの作成が容易になる。
【００３９】
【発明の効果】
以上説明したように本発明によれば、Ｑ１信号は番組の終了を示す１つのみであり、この１つのＱ１信号によって放送シーケンスを制御可能にしたので、番組作成者に熟練度を要しないほか、放送形態が多様化してもＱ信号の誤り修正が簡便になり、しかも、番組テープの番組終了部に１つのＱ信号を挿入するだけでよいため、番組テープの作成も容易になるという効果を有する。
【図面の簡単な説明】
【図１】本発明の放送制御方式を備えた有線放送システムの構成図である。
【図２】本実施例における番組テープの一例を示す構成図である。
【図３】本実施例における放送制御データの構成図である。
【図４】本実施例における放送システムの動作手順を示すフローチャートである。
【図５】放送パターンの一例を示す説明図である。
【図６】従来の番組テープの構成図である。
【符号の説明】
３−１  制御装置（制御手段）
３−２  キーパネル
３−３  パソコン
３−４  時計回路
３−５  デッキ制御装置
３−６、３−７  放送デッキ
３−８  編集デッキ
３−９  音声ミキサー
３−１０  Ｑ信号制御装置
３−１１  放送セレクタ
３−１２  ネットワーク
３−１３  スピーカ
４−１  Ａ地区、Ｂ地区、Ｃ地区に共通する一斉放送用番組テープ
４−２  Ａ地区への地区別放送Ａ用番組テープ
４−３  Ｂ地区への地区別放送Ｂ用番組テープ
４−４  Ｃ地区への地区別放送Ｃ用番組テープ
４−５  ＢＧＭ用番組テープ
【図１】
0003573769.tif 000002
【図２】
0003573769.tif 000003
【図３】
0003573769.tif 000004
【図４】
0003573769.tif 000005
【図５】
0003573769.tif 000006
【図６】
0003573769.tif 000007